(57)【要約】【課題】簡単な構造で、オーディオ機器で発生する振動やオーディオ機器の設置面の振動を効率よく吸収することができるインシュレータを得る。【解決手段】インシュレータ１０は、２つの凸曲面が重ね合わされて、中央部が厚く、外周側に向かうにしたがって薄くなるような外形を有する円盤状に形成される。インシュレータ１０の側方投影面は楕円形であり、無振動時の基本姿勢において、オーディオ機器との接触部と設置面との接触部とを結ぶ線が楕円の短軸となり、それに直交する軸が楕円の長軸となる。インシュレータ１０は、オーディオ機器とその設置面との間に配置される。オーディオ機器の振動や設置面の振動によりインシュレータ１０は転がり、それにともなってオーディオ機器が変位することにより、振動が吸収される。転がったインシュレータ１０は、オーディオ機器の自重により基本姿勢にもどり、オーディオ機器は安定して支持される。【選択図】図１
2006229268.tif 000002
【特許請求の範囲】
【請求項１】
オーディオ機器と、前記オーディオ機器の設置面との間に配置される硬質材料で形成されたインシュレータであって、
前記オーディオ機器および前記設置面のいずれとも点接触し、かつ、前記オーディオ機器の振動および前記設置面の振動の少なくとも一方により無振動時における基本姿勢から変位し、前記変位に対して自己復元により前記基本姿勢にもどることによって前記オーディオ機器の安定した支持が行われる、インシュレータ。
【請求項２】
前記オーディオ機器との接触面および前記設置面との接触面は前記オーディオ機器側および前記設置面側に向かって膨らむ曲面状に形成され、
前記基本姿勢における前記オーディオ機器との接触部および前記設置面との接触部において、前記オーディオ機器との接触部側の円弧を形成する曲率半径の中心点と、前記設置面との接触部側の円弧を形成する曲率半径の中心点とが、前記オーディオ機器との接触部および前記設置面との接触部を結ぶ線上またはその延長線上にあり、かつ、前記オーディオ機器との接触部および前記設置面との接触部を結ぶ線が楕円の短軸となり、該短軸と直交する線が楕円の長軸となり、該長軸が前記設置面と平行してなる楕円形の側方投影面を有する、請求項１に記載のインシュレータ。
【発明の詳細な説明】
【技術分野】
【０００１】
この発明は、インシュレータに関し、特にたとえば、オーディオ機器の振動やオーディオ機器の設置面の振動を吸収するために用いられるインシュレータに関する。
【背景技術】
【０００２】
オーディオ機器を設置する際に、オーディオ機器とその設置面との間に、振動を吸収するための複数のインシュレータが配置され、音質の向上が図られている。このようなインシュレータとして、たとえば、ゴムなどの弾性材料で形成されたブロック状のインシュレータが用いられる。しかしながら、オーディオ機器の重量分布は均一ではないため、各インシュレータの重量分担に差が生じ、十分な制振効果を得ることができなかった。
【０００３】
そこで、図７に示すようなインシュレータが考えられた。インシュレータ１は、振動吸収性に富む弾性材料で形成された球体２を含む。球体２は、受座３に形成された球形凹面３ａに嵌め込まれる。さらに、受座３の下面には、薄板４が配置され、受座３の下面からの振動伝播が防止される。このインシュータ１は、アンプ、ＣＤプレーヤ、スピーカなどのオーディオ機器とその設置面との間に配置される。このインシュレータ１では、球体２の上下端とも点接触に近い状態での支持となるため、オーディオ機器で発生した振動、またはオーディオ機器の設置面の振動は、球体２によって効率よく吸収される（特許文献１参照）。
【０００４】
また、図８に示すように、たとえば三角形の枠状の支持台６に、オーディオ機器を支持するための支持部７と、オーディオ機器を設置する設置面に載置するための足８とを形成したインシュレータ５がある。このインシュレータ５においては、支持部７および足８は、それぞれオーディオ機器および設置面に点接触するように形成され、三角形の支持台６の各頂点部に配置される。このインシュレータ５では、支持部７および足８が、オーディオ機器９および設置面に点接触するため、各接触点間で振動が積極的に伝達され、オーディオ機器９の振動状態が調整・均質化される（特許文献２参照）。
【０００５】
【特許文献１】特開平５−２６３８７２号公報
【特許文献２】特開平７−２１２８８０号公報
【発明の開示】
【発明が解決しようとする課題】
【０００６】
球体からなるインシュレータは、オーディオ機器と設置面との点接触、振動の吸収などの点から理想的なものである。しかしながら、球体は転がりを生じることから、図６に示すように、球体を受けるための受座が必要であり、振動の吸収の効果が半減する。さらに、球体を受けるための受座の形状が複雑であり、インシュレータの製造が困難である。
また、図７に示すような点接触によりオーディオ機器および設置面に接触するインシュレータでは、オーディオ機器の振動漏れを安定させることはできるが、振動を吸収するものではない。さらに、支持部や足の先端が鋭角であるため、オーディオ機器や設置面を傷つけたり、微小な振動でオーディオ機器がずれ、落下するおそれがある。
【０００７】
それゆえに、この発明の主たる目的は、簡単な構造で、オーディオ機器で発生する振動やオーディオ機器の設置面の振動を効率よく吸収することができるインシュレータを提供することである。
【課題を解決するための手段】
【０００８】
この発明は、オーディオ機器と、オーディオ機器の設置面との間に配置される硬質材料で形成されたインシュレータであって、オーディオ機器および設置面のいずれとも点接触し、かつ、オーディオ機器の振動および設置面の振動の少なくとも一方により無振動時における基本姿勢から変位し、この変位に対して自己復元により基本姿勢にもどることによってオーディオ機器の安定した支持が行われる、インシュレータである。
このようなインシュレータにおいて、オーディオ機器との接触面および設置面との接触面はオーディオ機器側および設置面側に向かって膨らむ曲面状に形成され、基本姿勢におけるオーディオ機器との接触部および設置面との接触部において、オーディオ機器との接触部側の円弧を形成する曲率半径の中心点と、設置面との接触部側の円弧を形成する曲率半径の中心点とが、オーディオ機器との接触部および設置面との接触部を結ぶ線上またはその延長線上にあり、かつ、オーディオ機器との接触部および設置面との接触部を結ぶ線が楕円の短軸となり、該短軸と直交する線が楕円の長軸となり、該長軸が設置面と平行してなる楕円形の側方投影面を有する形状とすることができる。
【０００９】
硬質材料で形成されたインシュレータがオーディオ機器およびオーディオ機器の設置面と点接触し、オーディオ機器の振動や設置面の振動によりインシュレータの姿勢が変位することにより、振動が吸収される。そして、振動によるインシュレータの変位が自己復元により基本姿勢にもどることにより、オーディオ機器の安定した支持が行われる。
このようなインシュレータの形状として、たとえばオーディオ機器との接触面および設置面との接触面が、オーディオ機器側および設置面側に向かって膨らむ曲面状とすることができる。それにより、オーディオ機器で発生する振動や設置面の振動によってインシュレータが転がって、これらの振動が吸収される。このような形状において、側方投影面が楕円形となる曲面形状とすることにより、必要以上の転がりが発生しない。また、基本姿勢におけるオーディオ機器との接触部および設置面との接触部を結ぶ線上またはその延長線上に、これらの接触部における曲率半径の中心点が存在することにより、バランスがとれて安定した支持を行うことができる。さらに、インシュレータ自体の形状およびオーディオ機器の自重によって、インシュレータが基本姿勢にもどりやすくなる。
【発明の効果】
【００１０】
この発明によれば、オーディオ機器で発生する振動やオーディオ機器の設置面の振動がインシュレータによって吸収されるため、オーディオ機器が受ける振動の影響を少なくすることができる。そのため、オーディオ機器で再生される音の音質を向上させることができる。
また、上述のような形状のインシュレータとすることにより、受座などがなくても安定してオーディオ機器を支持することができ、オーディオ機器の下面に簡単に挿入することができる。さらに、インシュレータの形状を曲面状とすることにより、人体やオーディオ機器を傷つけることを防止することができる。
【００１１】
この発明の上述の目的，その他の目的，特徴および利点は、図面を参照して行う以下の発明を実施するための最良の形態の説明から一層明らかとなろう。
【発明を実施するための最良の形態】
【００１２】
図１（Ａ）（Ｂ）は、この発明のインシュレータの一例を示す平面図および側面図である。インシュレータ１０は、たとえば、２つの凸曲面が重ね合わされて、中央部が厚く、外周側に向かうにしたがって薄くなるような外形を有する円盤状に形成される。つまり、インシュレータ１０は、図１（Ａ）に示すように、円形の平面形状を有し、図１（Ｂ）に示すように、反対側に向かって膨らむような曲面が組み合わされた形状に形成される。
【００１３】
曲面の形状としては、側方投影面が楕円形となるような形状である。そして、図２に示すように、オーディオ機器とその設置面との間に挿入されたとき、無振動時における基本姿勢において、インシュレータ１０とオーディオ機器との接触部およびインシュレータ１０と設置面との接触部を結ぶ線が、楕円の短軸となる。また、この基本姿勢において、オーディオ機器との接触部側の円弧を形成する曲率半径の中心点と、設置面との接触部側の円弧を形成する曲率半径の中心点とは、いずれも楕円の短軸上またはその延長線上に存在する。さらに、楕円の短軸と直交する軸が楕円の長軸となり、この楕円の長軸が、設置面に対して平行となるようにして、基本姿勢が保たれる。インシュレータ１０は、たとえばセラミック、金属、ガラス、鉱石、硬質樹脂などの硬質材料を用いて、成型、研磨などの加工法により形成される。
【００１４】
このインシュレータ１０は、アンプ、ＣＤプレーヤ、スピーカなどのオーディオ機器とその設置面との間に配置される。スピーカ２０の下面にインシュレータ１０を配置する場合、図３に示すように、たとえば三角形を形成する頂点部分に、３個のインシュレータ１０が配置される。このとき、図４に示すように、インシュレータ１０は、対向する両曲面の中心点がスピーカ２０およびその設置面２２に点接触する基本姿勢となる。つまり、両側に凸曲面を有する円盤状のインシュレータ１０の厚み方向が垂直方向となるようにして、スピーカ２０が設置面２２上に支持される。
【００１５】
インシュレータ１０の両曲面がスピーカ２０および設置面２２に点接触しているため、スピーカ２０が振動したり、設置面２２が振動すると、図５に示すように、インシュレータ１０に転がりが生じる。それにより、スピーカ２０は設置面２２に沿って移動し、振動が吸収される。なお、インシュレータ１０は、側方投影面が楕円形となるような曲面により構成されているため、振動によって転がっても、そのまま転がり続けることはない。
【００１６】
また、インシュレータ１０の基本姿勢において、スピーカ２０との接触部側の円弧を形成する曲率半径の中心点と、設置面２２との接触部側の円弧を形成する曲率半径の中心点とは、いずれも側方投影面の楕円形の短軸上またはその延長線上に存在することにより、安定したスピーカ２０の支持が可能となる。そのため、インシュレータ１０には、振動により転がっても、スピーカ２０の自重により基本姿勢にもどる復元力がある。したがって、スピーカ２０は、インシュレータ１０から外れることなく、安定してインシュレータ１０によって支持される。さらに、インシュレータ１０自体も、自重で基本姿勢を保つため、スピーカ２０の設置時に転がったりせず、スピーカ２０の設置が容易である。
【００１７】
なお、図６に示すように、スピーカ２０の下面において、４個のインシュレータ１０を配置してもよく、インシュレータ１０が３個以上あれば、スピーカ２０の支持が可能である。また、アンプやＣＤプレーヤなどの他のオーディオ機器についても、振動の影響により音質が悪くなるため、このインシュレータ１０を用いることにより、音質の向上を図ることができる。
【００１８】
このインシュレータ１０は、オーディオ機器や設置面とは点接触するが、その外形には鋭角部分がなく、曲面で外形が構成されているため、人体やオーディオ機器などを傷つけることがない。また、設置面にインシュレータ１０を置くだけでよく、オーディオ機器の支持が簡単である。さらに、完全な球体ではないため、インシュレータ１０が転がり続けることがなく、受座などで受ける必要がない。そのため、インシュレータ１０の構造が簡単なものとなり、インシュレータ１０を安価に製造することができる。
【図面の簡単な説明】
【００１９】
【図１】（Ａ）はこの発明のインシュレータの平面図であり、（Ｂ）はその側面図である。
【図２】図１に示すインシュレータをオーディオ機器とその設置面との間に配置した状態を示す図解図である。
【図３】図１に示すインシュレータを用いたスピーカの支持の一例を示す図解図である。
【図４】図２に示すスピーカの支持におけるインシュレータの基本姿勢を示す図解図である。
【図５】図３に示すスピーカの振動によるインシュレータの動きを示す図解図である。
【図６】図１に示すインシュレータを用いたスピーカの支持の他の例を示す図解図である。
【図７】従来のインシュレータの一例を示す図解図である。
【図８】従来のインシュレータの他の例を示す図解図である。
【符号の説明】
【００２０】
１０  インシュレータ
２０  スピーカ
２２  スピーカの設置面
【図１】
2006229268.tif 000003
【図２】
2006229268.tif 000004
【図３】
2006229268.tif 000005
【図４】
2006229268.tif 000006
【図５】
2006229268.tif 000007
【図６】
2006229268.tif 000008
【図７】
2006229268.tif 000009
【図８】
2006229268.tif 000010